(57)【要約】【課題】部分的に動画像の高精細化を図ることができる画像表示装置を提供すること。【解決手段】複数の分割小領域を含む表示領域に入力画像信号に基づく原画像および内挿画像信号に基づく補間画像の少なくとも一方を含む画像を表示する表示部と、分割小領域毎に補間位相を決定して内挿画像信号を生成する内挿画像生成部と、を有し、表示部は、各々が複数の分割小領域を含む第１区分領域と第２区分領域とを有し、第１区分領域においては、入力画像信号の入力フレームレート以上のレートで画像を表示し、第２区分領域においては、第１区分領域に比べて高いレートで画像を表示し、第２区分領域に表示される補間画像の内少なくとも一部の補間画像は、第１区分領域と隣接する分割小領域での補完位相が、第１区分領域と離間する分割小領域での補完位相よりも、原画像の位相に近い。【選択図】図１
2012022226.tif 000002
【特許請求の範囲】
【請求項１】
入力画像信号から内挿画像信号を生成する画像信号処理部と、
複数の分割小領域を含む表示領域に、入力画像信号に基づく原画像および内挿画像信号に基づく補間画像の少なくとも一方を含む画像を順次表示する表示部と、を有し、
前記画像信号処理部は、前記分割小領域毎に前記補間画像の位相を決定して前記内挿画像信号を生成し、
前記表示部は、各々が複数の前記分割小領域を含む第１区分領域と第２区分領域とを有し、前記第１区分領域においては、前記入力画像信号の入力フレームレート以上のレートで画像を表示し、前記第２区分領域においては、前記第１区分領域に比べて高いレートで画像を表示し、
前記第２区分領域に表示される補間画像の内少なくとも一部の補間画像は、前記第１区分領域と隣接する分割小領域に表示される補間画像の位相が、前記第１区分領域と離間する分割小領域に表示される補間画像の位相よりも、原画像の位相に近い、
画像表示装置。
【請求項２】
前記第２区分領域に表示される補間画像の内少なくとも一部の補間画像は、前記第１区分領域との境界近傍に位置する複数の分割小領域の内、前記第１区分領域に隣接する分割小領域に表示される補間画像の位相が原画像の位相に最も近く、前記第１区分領域から離れるほど原画像の位相から遠くなる、
請求項１記載の画像表示装置。
【請求項３】
前記第２区分領域に表示される補間画像の内少なくとも一部の補間画像は、前記第１区分領域との境界近傍に位置する複数の分割小領域においては、前記第１区分領域から離れるほど補間画像の位相が原画像の位相から遠くなり、前記境界近傍に位置する複数の分割小領域よりも前記第１区分領域から離れた分割小領域においては、補間画像の位相が正規位相である、
請求項１記載の画像表示装置。
【請求項４】
前記表示部は、複数の走査線を有し、
前記複数の走査線を走査することにより、前記表示領域に画像を表示させる走査部をさらに有し、
前記分割小領域は、各々が少なくとも１本以上の前記走査線に対応した領域である、
請求項１記載の画像表示装置。
【請求項５】
前記入力画像信号の特徴量を検出する特徴量検出部を備え、
前記第２分領域は、前記特徴量に基づいて選択される、
請求項１記載の画像表示装置。
【請求項６】
前記特徴量検出部は、前記個別表示領域毎の画像の動き量を特徴量として検出し、
前記表示部は、前記動き量が他の個別表示領域に比べて所定量以上大きい個別表示領域を前記第２区分領域として画像を表示する、
請求項５記載の画像表示装置。
【請求項７】
前記特徴量検出部は、前記個別表示領域毎のテロップの有無を特徴量として検出し、
前記表示部は、テロップが存在する個別表示領域がある場合に、当該個別表示領域を前記第２区分領域として画像を表示する、
請求項５記載の画像表示装置。
【請求項８】
前記第２区分領域は、前記表示領域の下方領域を含む、
請求項１記載の画像表示装置。
【請求項９】
前記表示部は、液晶パネルである、
請求項１記載の画像表示装置。
【発明の詳細な説明】
【技術分野】
【０００１】
本発明は、書込み走査して画像を表示する画像表示装置に関する。
【背景技術】
【０００２】
ホールド型表示方式であるアクティブ型液晶表示装置は、ＣＲＴ（Ｃａｔｈｏｄｅ  Ｒａｙ  Ｔｕｂｅ）表示装置などのインパルス型表示方式に比べて、ちらつきが少なく目が疲れにくいという利点がある。
【０００３】
その一方で、ホールド型表示方式での動画表示に関しては、動画像がフレーム間で動く画素数にわたって積分された画像として知覚され、この画像の動きによって生じる積分が画像のぼけを発生させる、ということが報告されている（例えば、特許文献１および特許文献２参照）。その理由としては、人間の視覚特性では通常、数１０ミリ秒以内の光刺激がほぼ完全に積分されて知覚される点と、４〜５度／秒以内の動きは眼球運動のみで追従可能である点などが挙げられる。
【０００４】
上記のような動画表示における画像の不自然さを改善する方式として、内挿画像信号を前後の入力画像信号から動き適応的に生成し、生成された内挿画像信号を当該２つの入力画像信号とともに順次使用して画像を表示する画像補間方式が、報告されている（例えば、特許文献１および特許文献３参照）。
【０００５】
ここで、画像補間方式に基づく従来の画像表示方法について説明する。なお、以下の図１２の説明においては、順次書込みに伴って画像が表示されるものとする。
【０００６】
図１２（ａ）は、従来の画像表示方法の第１の例として、１０８０ラインの走査線を有する画像表示装置における２倍速駆動を示す。具体的には、表示フレームレートが入力フレームレートの２倍に高速化される２倍速線順次駆動を下部に示すとともに、比較のために、表示フレームレートが高速化されず入力フレームレートに等しい線順次駆動（以下「等速線順次駆動」という）を上部に示す。なお、以下の説明において、入力フレームレートは、画像表示装置の画像プロセッサに入力される入力画像信号のレートをフレーム数単位で表すものであり、表示フレームレートは、画像表示装置の表示パネルから出力される画像のレートをフレーム数単位で表すものである。
【０００７】
図１２（ａ）上部に示される等速線順次駆動では、入力画像信号に基づく画像（以下「原画像」という）として複数のフレーム（第１フレームおよび第２フレーム）が順次表示される。これに対し図１２（ａ）下部に示される２倍速線順次駆動では、入力画像信号に基づく原画像として複数のフレーム（第１フレームおよび第２フレーム）が表示される。これに加えて、入力画像信号から得られた内挿画像信号に基づく画像（以下「補間画像」という）として中間フレーム（第１中間フレームおよび第２中間フレーム）がフレーム間に内挿されて表示される。
【０００８】
このように、２倍速線順次駆動では、１フレームの原画像に対して１フレームの補間画像が追加的に表示されるので、表示フレームレートが入力フレームレートの２倍となる。したがって、画面に表示されている動画像において、第１フレームと第２フレームとの間の第１中間フレームを内挿することにより、画像のぼけを低減することができる。
【０００９】
図１２（ｂ）は、従来の画像表示方法の第２の例として、１０８０ラインの走査線を有する画像表示装置における４倍速駆動を示す。具体的には、表示フレームレートが入力フレームレートの４倍に高速化される４倍速線順次駆動を下部に示すとともに、比較のために、等速線順次駆動を上部に示す。
【００１０】
図１２（ｂ）上部に示される等速線順次駆動では、原画像として複数のフレーム（第１フレームおよび第２フレーム）が順次表示される。これに対し図１２（ｂ）下部に示される４倍速線順次駆動では、原画像として複数のフレーム（第１フレームおよび第２フレーム）が表示される。これに加えて、補間画像として複数の中間フレーム（第１１中間フレーム、第１２中間フレーム、第１３中間フレーム、第２１中間フレーム、第２２中間フレームおよび第２３中間フレーム）がフレーム間に内挿されて表示される。
【００１１】
このように、４倍速線順次駆動では、１フレームの原画像に対して３フレームの補間画像が追加的に表示されるので、表示フレームレートが入力フレームレートの４倍となる。したがって、４倍速線順次駆動は、２倍速線順次駆動よりもさらに画像のぼけを低減することができる。
【先行技術文献】
【特許文献】
【００１２】
【特許文献１】特許第３２９５４３７号公報
【特許文献２】特開平９−３２５７１５号公報
【特許文献３】特許第３８８４８８５号公報
【発明の概要】
【発明が解決しようとする課題】
【００１３】
しかしながら、上記従来の画像表示方法において、入力フレームレートよりも高いフレームレートでの表示を実現するには、走査速度の高速化が必要となる。
【００１４】
例えば、等速線順次駆動の場合、入力フレームレートが６０Ｈｚであると仮定すると、６０Ｈｚの垂直走査周波数で走査が行われる。よって、１０８０ラインの走査線を有する画像表示装置では、走査線１ラインあたりの走査時間であるライン走査周期は、約１５．４μｓとなる。
【００１５】
これに対し、２倍速線順次駆動の場合、同一仮定条件下では、１２０Ｈｚの垂直走査周波数で走査を行う必要がある。よって、１０８０ラインの走査線を有する画像表示装置では、ライン走査周期は約７．７μｓとなる。
【００１６】
同様に、４倍速線順次駆動の場合、同一仮定条件下では、２４０Ｈｚの垂直走査周波数で走査を行う必要がある。よって、１０８０ラインの走査線を有する画像表示装置では、ライン走査周期は約３．９μｓとなる。
【００１７】
このように、表示フレームレートを２倍、４倍、さらにそれ以上へと高速化するためには、全ての走査線のライン走査周期を１／２倍、１／４倍、さらにそれ以下へと短縮化する必要がある。すなわち、フレームレートの倍数とライン走査周期とは反比例の関係にある。しかし、走査線の走査速度には、表示パネルの応答性に依存する限界値があり、限界値を超えた高速での走査は困難である。したがって、上記従来の画像表示方法で用いられる倍速線順次駆動では、高フレームレート駆動が実現困難であり、動画像のぼけ低減などの高精細化に一定の限界がある。
【００１８】
本発明の目的は、境界が目立たないようにしつつ、部分的に動画像の高精細化を図ることができる画像表示装置を提供することである。
【課題を解決するための手段】
【００１９】
上記目的を達成するため、本発明に係る画像表示装置は、
入力画像信号から内挿画像信号を生成する画像信号処理部と、
複数の分割小領域を含む表示領域に、入力画像信号に基づく原画像および内挿画像信号に基づく補間画像の少なくとも一方を含む画像を順次表示する表示部と、を有し、
前記画像信号処理部は、前記分割小領域毎に前記補間画像の位相を決定して前記内挿画像信号を生成し、
前記表示部は、各々が複数の前記分割小領域を含む第１区分領域と第２区分領域とを有し、前記第１区分領域においては、前記入力画像信号の入力フレームレート以上のレートで画像を表示し、前記第２区分領域においては、前記第１区分領域に比べて高いレートで画像を表示し、
前記第２区分領域に表示される補間画像の内少なくとも一部の補間画像は、前記第１区分領域と隣接する分割小領域に表示される補間画像の位相が、前記第１区分領域と離間する分割小領域に表示される補間画像の位相よりも、原画像の位相に近い。
【発明の効果】
【００２０】
本発明によれば、境界が目立たないようにしつつ、部分的に動画像の高精細化を図ることができる画像表示装置を提供すること。
【図面の簡単な説明】
【００２１】
【図１】画像表示装置の構成を示すブロック図
【図２】画像信号処理部の構成を示すブロック図
【図３】２つの原画像の間に１つの補完画像を内挿する場合の補完位相を説明する図
【図４】（ａ）表示パネルの構成を説明するための図、（ｂ）個別表示領域の部分拡大図
【図５】実施の形態１に係る画像表示装置の表示状態を説明する説明図
【図６】分割小領域に表示される第１補完画像の補完位相を示す図
【図７】実施の形態１に係る画像表示装置の別の表示状態を説明する説明図
【図８】別の表示状態での分割小領域に表示される第１補完画像の補完位相を示す図
【図９】実施の形態２に係る画像表示装置の表示状態を説明する説明図
【図１０】２つの原画像の間に３つの補完画像を内挿する場合の補完位相を説明する図
【図１１】分割小領域に表示される第１１補完画像と第１３補完画像の補完位相を示す図
【図１２】従来の画像表示装置における駆動方法を示す図
【発明を実施するための形態】
【００２２】
以下、本発明の各実施の形態について図面を参照して説明する。
【００２３】
（実施の形態１）
＜１．画像表示装置の構成＞
図１は、本実施の形態に係る画像表示装置の構成を示すブロック図である。画像表示装置１００は、画像信号処理部１１０と、パネル制御回路１２０と、ゲートドライバ１３０と、ソースドライバ１４０と、表示パネル１５０と、を備えている。
【００２４】
画像信号処理部１１０は、入力される画像信号に含まれる時間的に前後する２枚の原画像の間に内挿される補完画像を生成する。
【００２５】
図２は、画像信号処理部の構成を示すブロック図である。図２に示すように、画像信号処理部１１０は、動きベクトル検出回路１１１と、補間位相決定回路１１２と、補間画像生成回路１１３とを有する。動きベクトル検出回路１１１は、時間的に前後する２枚の原画像間の動きベクトルをブロックごとに検出する。ここで、ブロックとは、例えば３画素×３画素などの所定の大きさの画素領域である。もちろん、ブロックの大きさは３画素×３画素に限られるものではない。例えば、１画素単位のように、より小さいブロックであってもよいし、８画素×８画素のように、より大きいブロックであってもよい。
【００２６】
補完位相決定回路１１２は、画像信号処理部１１０で生成する補完画像の、分割小領域毎の補完位相を決定する。分割小領域の詳細については後述するが、表示パネル１５０が有する表示領域を垂直方向に分割した小領域である。
【００２７】
ここで、図３を用いて補完位相について説明する。なお、位相とは、画像の時間的な位置を示す値である。また、補間位相とは、補間画像の時間的な位置を示す値である。図３は、時間的に連続する２つの原画像の間に１つの補完画像を内挿する場合の補完位相を説明する図である。図３（ａ）は、時刻Ｔ１に原画像１が表示され、時刻Ｔ３に原画像２が表示される様子を示している。原画像１においては図中Ｐで示すオブジェクトが画像の左側に位置している。また、原画像２においてはオブジェクトＰが画像の右側に位置している。つまり、原画像１から原画像２において、オブジェクトＰは、左側から右側へ移動するオブジェクトを表している。ここで、原画像１の位相を０．０、原画像２の位相を１．０としている。図３（ｂ）〜（ｆ）は、時刻Ｔ１と時刻Ｔ３との中間である時刻Ｔ２に補完画像が内挿されて表示される様子を示している。図３（ｂ）においては、オブジェクトＰは、原画像１の位置から右側へ１／１０だけ移動した位置に位置している。すなわち、図３（ｂ）の補完位相は、０．１である。図３（ｃ）においては、オブジェクトＰは、原画像１の位置から右側へ２／１０だけ移動した位置に位置している。すなわち、図３（ｃ）の補完位相は、０．２である。図３（ｄ）においては、オブジェクトＰは、原画像１の位置から右側へ３／１０だけ移動した位置に位置している。すなわち、図３（ｄ）の補完位相は、０．３である。図３（ｅ）においては、オブジェクトＰは、原画像１の位置から右側へ４／１０だけ移動した位置に位置している。すなわち、図３（ｅ）の補完位相は、０．４である。図３（ｆ）においては、オブジェクトＰは、原画像１の位置から右側へ５／１０、つまりちょうど半分移動した位置に位置している。すなわち、図３（ｆ）の補完位相は、０．５である。図３においては、（ｂ）から（ｆ）へ行くほど補完位相は原画像１の位相から離れている。つまり、図３（ｂ）の補完画像の補完位相が原画像の位相に最も近く、図３（ｆ）の補完画像の補完位相が原画像の位相から最も遠い。なお、図示しないが補完位相が０．６以上１．０未満の場合は、原画像２の位相に近づくことになるため、図３（ｆ）の補完画像の補完位相が原画像の位相から最も遠いことに変わりはない。
【００２８】
なお、補間位相は、補間画像を生成する際に利用される値であり、図３（ｂ）〜（ｅ）のように、補間画像が表示される位相と異なっていてもよい。
【００２９】
また、図３においては、図３（ｆ）の補完位相を正規位相と呼ぶ。正規位相とは、原画像のみのフレームレートと補完画像内挿後のフレームレートとの比から論理的に算出される位相であり、フレームレート変換後の画像が等間隔に連続する時間的な位置を示す位相である。言い換えると、正規位相とは、補間画像が表示される位相と一致する場合の補完位相である。
【００３０】
図２に戻って、説明する。補完画像生成回路１１３は、補間位相と動きベクトルとを用いて、２枚の原画像の少なくとも一方を使用して動き補償処理を行うことにより、補間画像を生成する。
【００３１】
補間画像生成回路１１３は、補間位相決定回路１１２で決定される分割小領域毎の補完位相に従って、分割小領域に含まれるブロックの動きベクトルを調整する。そして、補間画像生成回路１１３は、分割小領域毎に補完位相が調整された補完画像を生成する。具体的には、補間画像生成回路１１３は、補完画像を示す内挿画像信号を生成して出力する。
【００３２】
補間画像生成回路１１３は、順次入力される入力画像信号に対して内挿画像信号生成処理を行う。ここで、補間画像生成回路１１３により行われる内挿画像信号生成処理の一例について説明する。
【００３３】
補間画像生成回路１１３は、入力画像信号を順次入力する。入力画像信号は補間画像生成回路１１３内のメモリ（図示せず）に一時的に格納される。補間画像生成回路１１３は、先に入力された入力画像信号とその入力画像信号の直後に入力された入力画像信号、さらには、動きベクトル値と補完位相とから、１つ以上の内挿画像信号を生成する。各入力画像信号は、表示パネル１５０の表示領域の全体領域をカバーする情報量を有するが、そこから生成される内挿画像信号は、表示領域の全体領域をカバーする情報量を有するものであっても一部領域のみをカバーする情報量を有するものであってもよい。
【００３４】
一部領域のみをカバーする情報量を有する内挿画像信号を生成する場合、各入力画像信号から、表示領域の一部領域に対応する部分を抽出して、抽出された部分に含まれる情報に基づいて、その一部領域のみをカバーする情報量の内挿画像信号を生成する。あるいは、各入力画像信号から、全体領域をカバーする情報量の内挿画像信号を暫定的に生成し、そこから、表示領域の一部領域に対応する部分を最終的な内挿画像信号として切り出す。
【００３５】
なお、内挿画像信号によりカバーされる、表示領域の一部領域は、動きベクトル検出回路１１１により検出される動きベクトルに基づいて、動き適応的に選択される。例えば、検出した動きベクトルからテロップであることを検出し、当該テロップを含む一部領域が設定されてもよい。
【００３６】
また、補間画像生成回路１１３は、入力画像信号および生成した内挿画像信号に基づいて位相信号を生成する。ここで、位相信号は、上方の走査線から下方の走査線に向かって進む順次走査の開始位置を示すものである。例えば、第１ラインから走査を開始すべきであることが示されたり、第２１７ラインから走査を開始すべきであることが示されたりする。走査線については後述する。
【００３７】
そして、補間画像生成回路１１３は、入力画像信号、内挿画像信号、および位相信号をパネル制御回路１２０に出力する。
【００３８】
このようにして、画像信号処理部１１０により内挿画像信号生成処理が行われる。なお、上記内挿画像信号生成処理は、入力画像信号が入力される度に行われる。
【００３９】
パネル制御回路１２０は、入力される画像信号（入力画像信号あるいは内挿画像信号）や位相信号に基づいて、ゲートドライバ１３０およびソースドライバ１４０の駆動を制御する。具体的には、表示パネル１５０が有するソース線１５７への画像信号の供給タイミングの制御や、走査線１５６への書込みタイミングの制御などの制御信号を生成し、ゲートドライバ１３０およびソースドライバ１４０に出力する。
【００４０】
また、パネル制御部１２０は、表示パネル１５０が、表示領域の第１区分領域において入力画像信号の入力フレームレート以上のレートで画像を表示するとともに、第１区分領域とは別の第２区分領域において、第１区分領域に比べて高いレートで画像を表示するように、ゲートドライバ１３０およびソースドライバ１４０の駆動を制御する。
【００４１】
ゲートドライバ１３０は、パネル制御部１２０からの制御に基づいて、表示パネル１５０が有する走査線１５６を駆動する。また、ソースドライバ１４０は、パネル制御部１２０からの制御に基づいて、表示パネル１５０が有するソース線１５６を駆動する。ゲートドライバ１３０は、走査部の一例である。
【００４２】
表示パネル１５０は、液晶パネルである。より具体的には、表示パネル１５０は、互いに直交して配置された１０８０本の走査線１５６−１〜１５６−１０８０と１９２０本のソース線１５７−１〜１５７−１９２０とを有している。表示パネル１５０は、各走査線と各ソース線の交差位置に液晶セル（図示せず）を持つ画素を形成している。ソース線１５７−１〜１５７−１９２０には、画像信号が供給される。そして、走査線１５６−１〜１５６−１０８０が同一ライン毎の画素を順次書込み走査することで、画像信号に応じた画像を表示領域に表示することができる。走査線１５６−ｎ（ｎは１からＮまでの整数）がゲートドライバ１３０により走査されると、表示パネル１５０の表示領域には、入力画像信号に基づく原画像としてのフレームおよび内挿画像信号に基づく補間画像としての中間フレームが表示される。
【００４３】
図４（ａ）は、表示パネル１５０の構成を説明するための構成図である。表示パネル１５０は、垂直方向に区切られた５つの個別表示領域１５１〜１５５からなる表示領域を有している。個別表示領域１５１は、走査線１５６−１〜１５６−２１６に対応する領域である。個別表示領域１５２は、走査線１５６−２１７〜１５６−４３２に対応する領域である。個別表示領域１５３は、走査線１５６−４３３〜１５６−６４８に対応する領域である。個別表示領域１５４は、走査線１５６−６４９〜１５６−８６４に対応する領域である。個別表示領域１５５は、走査線１５６−８６５〜１５６−１０８０に対応する領域である。各個別表示領域は、それぞれ２７個ずつの分割小領域を有している。これを、図４（ｂ）を用いて説明する。
【００４４】
図４（ｂ）は、個別表示領域１５５の部分拡大図である。個別表示領域１５５は、２７個の分割小領域１５５−１〜１５５−２７を有している。分割小領域の各々は、８本の走査線に対応する領域である。分割小領域１５５−１は、走査線１５６−８６５〜１５６−８７２に対応する領域である。分割小領域１５５−２は、走査線１５６−８７３〜１５６−８８０に対応する領域である。同様にして、分割小領域１５５−２７は、走査線１５６−１０７３〜１５６−１０８０に対応する領域である。つまり、表示パネル１５０は、５つの個別表示領域を有し、各々の個別表示領域に２７個の分割小領域を有しているので、合計１３５個の分割小領域を有している。
【００４５】
表示パネル１５０は、パネル制御回路１２０によって、各走査線１５６の走査タイミングと各ソース線１５７の画像信号供給タイミングとが制御される。特に、表示パネル１５０は、書込み走査のタイミングが個別表示領域毎に変更可能に制御される。
【００４６】
以上、本実施の形態の画像表示装置１００の構成について説明した。
【００４７】
＜２．画像表示装置の動作＞
次いで、画像表示装置１００の動作について説明する。なお、本実施の形態およびこれ以降の実施の形態においては、説明の簡略化のため、入力フレームレート６０Ｈｚを前提条件とするが、本発明は別の条件下での走査駆動動作にも適用可能である。
【００４８】
図５は、画像表示装置１００の表示状態を説明する説明図である。なお、以下においては、個別表示領域１５５の動き量が、その他の個別表示領域の動き量よりも大きく（動きが早く）、個別表示領域１５５のフレームレートを高めた場合について説明する。すなわち、個別表示領域１５１〜１５４が、入力画像信号の入力フレームレート以上のレートで画像を表示する第１区分領域の一例であり、個別表示領域１５５が、第１区分領域に比べて高いレートで画像を表示する第２区分領域の一例である。本実施の形態においては、第１区分領域の一例である個別表示領域１５１〜１５４では、入力フレームレートと同じ６０Ｈｚで画像を表示し、第２区分領域の一例である個別表示領域１５５では、第１区分領域よりも高い１２０Ｈｚで画像を表示するものとする。
【００４９】
より具体的には、図５は、表示パネル１５０への画像信号の書込みタイミングを示している。ここで、第２区分領域に対しては、高いレートで画像を表示する必要がある。そのため、表示パネル１５０への画像信号の書込み走査は、全表示領域が６０Ｈｚで画像を表示する場合の書込み走査と比べて速くなっている。
【００５０】
まず、時刻ｔ１０で第１原画像信号の個別表示領域１５１に対応する書込みが始まる。ここでは、走査線１５６−１〜走査線１５６−２１６まで書込まれる。続いて、時刻ｔ１２１で個別表示領域１５２に対応する書込みが始まる。ここでは、走査線１５６−２１７〜走査線１５６−４３２まで書込まれる（Ｓ１１）。そして、時刻ｔ１２２で個別表示領域１５３と個別表示領域１５４とを飛ばして、個別表示領域１５５に対応する書込みが始まる。ここでは、走査線１５６−８６５〜走査線１５６−１０８０まで書込まれる（Ｓ１２）。そのあと、時刻ｔ１２３で個別表示領域１５３に戻って、対応する書込みが始まる。ここでは、走査線１５６−４３３〜走査線１５６−６４８まで書込まれる。続いて、時刻ｔ１２４で個別表示領域１５４に対応する書込みが始まる。ここでは、走査線１５６−６４９〜走査線１６６−８６５まで書込まれる（Ｓ１３）。このようにして、第１原画像信号の書込み走査が完了する。
【００５１】
ここで、時刻ｔ１２５から再度個別表示領域１５５に対する書込みが始まる。ここでは、走査線１５６−８６５〜走査線１５６−１０８０まで書込まれる（Ｓ１４）。このとき書き込まれる画像信号は、第１補完画像信号である。第１補完画像信号は、第１原画像と第２原画像の間の内挿画像として生成された補完画像である。このようにして、入力画像信号の１フレーム期間内で、動き量の大きい個別表示領域１５５のみの書込み走査の回数を倍増させることができる。つまり、個別表示領域１５５のみの表示レートを上げることができる。
【００５２】
同様にして時刻ｔ２０で第２原画像信号の個別表示領域に対応する書込みが始まる。以下の書込み走査は第１原画像信号および第１補完画像信号の場合と同様である。また、同様にして時刻ｔ３０で第３原画像信号の個別表示領域に対応する書込みが始まる。以下の書込み走査は第１原画像信号および第１補完画像信号の場合と同様である。
【００５３】
図６は、個別表示領域１５５が有する分割小領域である、分割小領域１５５−１〜１５５−２７に表示される第１補完画像の補完位相を示す図である。すなわち、図５においてＳ１４で示す第１補完画像信号の書込みによって表示される補完画像によって表示される補完画像の補完位相を示している。図６は、横軸に補完位相、縦軸に分割小領域の符号を示している。分割小領域１５５−１は、個別表示領域１５５の最上端に位置する分割小領域であり、個別表示領域１５４に隣接する分割小領域である。分割小領域１５５−２７は、個別表示領域１５５の最下端に位置する分割小領域である。なお、図５の第１原画像信号で表示される第１原画像の位相は０．０、第２原画像信号で表示される第２原画像の位相は１．０である。
【００５４】
分割小領域１５５−１における補完画像の補完位相は、０．１であり、他の分割小領域に比べて原画像の位相に最も近くなっている。分割小領域１５５−２における補完画像の補完位相は、分割小領域１５５−１よりも原画像の位相から遠い、０．２である。分割小領域１５５−３における補完画像の補完位相は、分割小領域１５５−２よりも原画像の位相から遠い、０．３である。分割小領域１５５−４における補完画像の補完位相は、分割小領域１５５−３よりも原画像の位相から遠い、０．４である。そして、分割小領域１５５−５〜分割小領域１５５−２７における補完画像の補完位相は全て、正規位相である０．５である。つまり、第２区分領域である個別表示領域１５５における分割小領域毎の補完位相は、第１区分領域の一部である個別表示領域１５４との境界近傍において、個別表示領域１５４に近いほど原画像の位相に近くなる。言い換えると、第２区分領域である個別表示領域１５５における分割小領域毎の補完位相は、第１区分領域の一部である個別表示領域１５４と境界近傍において、個別表示領域１５４から離れるほど原画像の位相から遠くなる。このように第２区分領域の分割小領域毎の補完位相を調整することで、第１区分領域と第２区分領域との境界を目立たなくすることができる。
【００５５】
なお、個別表示領域１５４との境界近傍において、個別表示領域１５５の分割小領域毎の補完位相の変化量を０．１ずつとし、４つの分割小領域を経て正規位相となるようにしているが、これに限られるものではない。例えば、分割小領域毎の補完位相の変化量をさらに大きな変化量とし、より少ない分割小領域を経て正規位相となるようにしてもよい。また、分割小領域毎の補完位相の変化量をさらに小さな変化量とし、より多くの分割小領域を経て正規位相となるようにしてもよい。
【００５６】
このように、本実施の形態の画像表示装置１００では、表示パネル１５０の第１区分領域において、入力画像信号のフレームレートと同じ表示レートで画像を表示し、第２区分領域において、部分的にそれよりも高いフレームレートで画像を表示させることができる。
【００５７】
なお、上述した説明においては、個別表示領域１５１〜１５４が、入力画像信号の入力フレームレート以上のレートで画像を表示する第１区分領域であり、個別表示領域１５５が、第１区分領域に比べて高いレートで画像を表示する第２区分領域であったが、もちろん第１区分領域および第２区分領域を別の個別表示領域の組合せとすることができる。例えば、図７は、画像表示装置１００の他の表示例を示す説明図である。図７では、個別表示領域１５１〜１５２、１５４〜１５５が、第１区分領域であり、個別表示領域１５３が第２区分領域である。このような例によれば、個別表示領域１５３を１２０Ｈｚの表示レートで表示し、他の個別表示領域を６０Ｈｚの表示レートで表示することができる。
【００５８】
図７の例においては、補完画像を表示する個別表示領域１５３は、上端側と下端側とで第１区分領域に隣接している。図８は、図７の例における個別表示領域１５３が有する分割小領域である、分割小領域１５３−１〜１５３−２７に表示される第１補完画像の補完位相を示す図である。分割小領域１５３−１は、個別表示領域１５３の最上端に位置する分割小領域であり、個別表示領域１５２に隣接する分割小領域である。分割小領域１５３−２７は、個別表示領域１５５の最下端に位置する分割小領域であり、個別表示領域１５４に隣接する分割小領域である。
【００５９】
分割小領域１５３−１における補完画像の補完位相は、０．１であり、他の分割小領域に比べて原画像の位相に近くなっている。分割小領域１５３−２における補完画像の補完位相は、分割小領域１５３−１よりも原画像の位相から遠い、０．２である。分割小領域１５３−３における補完画像の補完位相は、分割小領域１５３−２よりも原画像の位相から遠い、０．３である。分割小領域１５３−４における補完画像の補完位相は、分割小領域１５３−３よりも原画像の位相から遠い、０．４である。そして、分割小領域１５５−５〜分割小領域１５５−２３における補完画像の補完位相は全て、正規位相である０．５である。また、分割小領域１５３−２４における補完画像の補完位相は、分割小領域１５３−２３よりも原画像の位相に近い、０．４である。分割小領域１５３−２５における補完画像の補完位相は、分割小領域１５３−２４よりも原画像の位相に近い、０．３である。分割小領域１５３−２６における補完画像の補完位相は、分割小領域１５３−２５よりも原画像の位相に近い、０．２である。そして、分割小領域１５３−２７における補完画像の補完位相は、分割小領域１５３−２６よりも原画像の位相に近い、０．１であり、他の分割小領域に比べて原画像の位相に近くなっている。
【００６０】
つまり、第２区分領域である個別表示領域１５３における分割小領域毎の補完位相は、第１区分領域の一部である個別表示領域１５２および１５４との境界近傍において、個別表示領域１５２および１５４に近いほど原画像の位相に近くなる。言い換えると、第２区分領域である個別表示領域１５３における分割小領域毎の補完位相は、第１区分領域の一部である個別表示領域１５２および１５４と境界近傍において、個別表示領域１５２および１５４から離れるほど原画像の位相から遠くなる。このように第２区分領域の分割小領域毎の補完位相を調整することで、第１区分領域と第２区分領域との境界を目立たなくすることができる。
【００６１】
なお、第２区分領域における補完画像信号の書込み走査は、第２区分領域における書込み走査の間隔ができる限り均等な間隔となるようなタイミングで書込まれることが好ましい。上述した図５、図７では、第２区分領域における書込み走査の間隔が均等になっている。すなわち、画像表示装置１００は、原画像や補完画像を均等な間隔で表示する。このように補完画像の内挿位置が均等となることで、より動画像の表示を滑らかに行うことができる。
【００６２】
＜３．まとめ＞
以上説明したように、画像表示装置１００は、入力画像信号から内挿画像信号を生成する画像信号処理部１１０と、複数の分割小領域を含む表示領域に、入力画像信号に基づく原画像および内挿画像信号に基づく補間画像の少なくとも一方を含む画像を順次表示する表示パネル１５０と、を有する。画像信号処理部１１０は、分割小領域毎に補間画像の位相を決定して内挿画像信号を生成する。表示パネル１５０は、各々が複数の分割小領域を含む第１区分領域と第２区分領域とを有し、第１区分領域においては、入力画像信号の入力フレームレート以上のレートで画像を表示し、第２区分領域においては、第１区分領域に比べて高いレートで画像を表示する。そして、第２区分領域に表示される補間画像の内少なくとも一部の補間画像は、第１区分領域と隣接する分割小領域に表示される補間画像の位相が、第１区分領域と離間する分割小領域に表示される補間画像の位相よりも、原画像の位相に近くなっている。
【００６３】
このように、第１区分領域と第２分領域を有することで、部分的に動画像の高精細化を図ることができる。また、第１区分領域と隣接する分割小領域に表示される補間画像の位相が、第１区分領域と離間する分割小領域に表示される補間画像の位相よりも、原画像の位相に近いことで、第１区分領域と第２区分領域の境界を目立たなくすることができる。
【００６４】
また、第２区分領域に表示される補間画像の内少なくとも一部の補間画像は、第１区分領域との境界近傍に位置する複数の分割小領域の内、第１区分領域に隣接する分割小領域に表示される補間画像の位相が原画像の位相に最も近く、第１区分領域から離れるほど原画像の位相から遠くなっている。これにより、第１区分領域と第２区分領域の境界をより目立たなくすることができる。
【００６５】
また、第２区分領域に表示される補間画像の内少なくとも一部の補間画像は、第１区分領域との境界近傍に位置する複数の分割小領域においては、第１区分領域から離れるほど補間画像の位相が原画像の位相から遠くなり、境界近傍に位置する複数の分割小領域よりも第１区分領域から離れた分割小領域においては、補間画像の位相が正規位相となっている。これにより、第１区分領域と第２区分領域の境界をより目立たなくしつつ、第２区分領域での動画性能の改善をできるだけ高めることができる。
【００６６】
また、表示パネル１５０は、複数の走査線１５６を有し、複数の走査線１５６を走査することにより表示領域に画像を表示させるゲートドライバ１３０をさらに有し、分割小領域は、各々が少なくとも１本以上の走査線１５６に対応した領域となっている。
【００６７】
また、入力画像信号の特徴量を検出する特徴量検出部を備え、第２分領域は、特徴量に基づいて選択されてもよい。本実施の形態では、特徴量検出部は動きベクトル検出回路１１１であり、個別表示領域毎の画像の動き量を特徴量として検出する。そして、表示パネル１５０は、動き量が他の個別表示領域に比べて所定量以上大きい個別表示領域を前記第２区分領域として画像を表示してもよい。このようにすれば、画像の特徴に応じて適応的に第２区分領域を設定することができる。
【００６８】
なお、特徴量検出部として、個別表示領域毎のテロップの有無を特徴量として検出してもよい。この場合、表示パネル１５０は、テロップが存在する個別表示領域がある場合に、当該個別表示領域を第２区分領域として画像を表示する。このようにすれば、動画性能の改善がより求められるテロップ領域を検出して第２区分領域に設定することができる。また、第２区分領域は、テロップ等の発生頻度の高い表示領域の下方領域を含む領域としてもよい。
【００６９】
（実施の形態２）
次に、実施の形態２に係る画像表示装置について説明する。本実施の形態に係る画像表示装置の構成は、図１に示す実施の形態１と同様である。本実施の形態においては、実施の形態１と比較して、表示パネル１５０の表示レートが異なる。
【００７０】
図９を用いて本実施の形態に係る画像表示装置１００の表示状態について説明する。図９は、画像表示装置１００の表示状態を説明する説明図である。なお、以下の説明においては、個別表示領域１５５の動き量が、その他の個別表示領域の動き量よりも大きく（動きが早く）、個別表示領域１５５のフレームレートを他の個別表示領域に比べて高めた場合について説明する。すなわち、個別表示領域１５１〜１５４が、入力画像信号の入力フレームレート以上のレートで画像を表示する第１区分領域の一例であり、個別表示領域１５５が、第１区分領域に比べて高いレートで画像を表示する第２区分領域の一例である。本実施の形態においては、第１区分領域の一例である個別表示領域１５１〜１５４では、入力フレームレートの２倍の１２０Ｈｚで画像を表示し、第２区分領域の一例である個別表示領域１５５では、第１区分領域よりも高い２４０Ｈｚで画像を表示するものとする。
【００７１】
より具体的には、図９は、表示パネル１５０への画像信号の書込みタイミングを示している。ここで、第２区分領域に対しては、高いレートで画像を表示する必要がある。そのため、表示パネル１５０への画像信号の書込み走査は、全表示領域が１２０Ｈｚで画像を表示する場合の書込み走査と比べて速くなっている。
【００７２】
本実施の形態における画像表示装置１００の基本的な動作は、実施の形態１と同様であるが、補完画像を内挿する回数が多い点が異なっている。図５で示す実施の形態１において、第１原画像信号の書込み走査と第１補完画像信号の書込み走査が時刻ｔ２０で完了している。これに対して、本実施の形態においては、同様の第１原画像信号の書込み走査と第１１補完画像信号の書込み走査が、時刻ｔ１２３で完了する。続いて、同様の書込み走査によって、第１２補完画像信号の書込み走査が各個別表示領域対して行われ、第１３補完画像信号の書込み走査が個別表示領域１５５に対して行われる。このときの第１３補完画像信号の書込み走査が完了する時刻がｔ２０となっている。
【００７３】
ここで、図１０を用いて本実施の形態に関連する補完画像の補完位相について説明する。図１０は、時間的に連続する２つの原画像の間に３つの補完画像を内挿する場合の補完位相を説明する図である。図１０（ａ）は、時刻Ｔ１に原画像１が表示され、時刻Ｔ３に原画像２が表示される様子を示している。原画像１においては図中Ｐで示すオブジェクトが画像の左側に位置している。また、原画像２においてはオブジェクトＰが画像の右側に位置している。つまり、原画像１から原画像２において、オブジェクトＰは、左側から右側へ移動するオブジェクトを表している。ここで、原画像１の位相を０．０、原画像２の位相を１．０としている。図１０（ｂ）〜（ｆ）は、時刻Ｔ１と時刻Ｔ３との中間である時刻Ｔ２に正規位相の補完画像２が内挿されるとともに、時刻Ｔ１と時刻Ｔ２との中間である時刻Ｔ１５と、時刻Ｔ２と時刻Ｔ３との中間である時刻Ｔ２５とに、補完画像１と補完画像３とがそれ内挿されて表示される様子を示している。図１０（ｂ）において補完画像１は、オブジェクトＰが、原画像１の位置から右側へ１／２０だけ移動した位置に位置している。すなわち、図１０（ｂ）における補完画像１の補完位相は、０．０５である。図１０（ｃ）において補完画像１は、オブジェクトＰが、原画像１の位置から右側へ２／２０だけ移動した位置に位置している。すなわち、図１０（ｃ）における補完画像１の補完位相は、０．１である。図１０（ｄ）において補完画像１は、オブジェクトＰが、原画像１の位置から右側へ３／２０だけ移動した位置に位置している。すなわち、図１０（ｄ）における補完画像１の補完位相は、０．１５である。図１０（ｅ）においてにおいて補完画像１は、オブジェクトＰが、原画像１の位置から右側へ４／２０だけ移動した位置に位置している。すなわち、図１０（ｅ）における補完画像１の補完位相は、０．２である。図１０（ｆ）において補完画像１は、オブジェクトＰが、原画像１の位置から右側へ５／２０、つまりちょうど１／４移動した位置に位置している。すなわち、図１０（ｆ）における補完画像１の補完位相は、０．２５である。図１０において補完画像１は、（ｂ）から（ｆ）へ行くほど補完位相が原画像１の位相から離れている。つまり、図１０（ｂ）の補完画像１の補完位相が原画像１の位相に最も近く、図１０（ｆ）の補完画像１の補完位相が原画像１の位相から最も遠い。図１０（ｆ）の補完画像１の補完位相は、正規位相である。
【００７４】
また、図１０（ｂ）において補完画像３は、オブジェクトＰが、原画像１の位置から右側へ１９／２０だけ移動した位置に位置している。すなわち、図１０（ｂ）における補完画像３の補完位相は、０．９５である。図１０（ｃ）において補完画像３は、オブジェクトＰが、原画像１の位置から右側へ１８／２０だけ移動した位置に位置している。すなわち、図１０（ｃ）における補完画像３の補完位相は、０．９である。図１０（ｄ）において補完画像３は、オブジェクトＰが、原画像１の位置から右側へ１７／２０だけ移動した位置に位置している。すなわち、図１０（ｄ）における補完画像３の補完位相は、０．８５である。図１０（ｅ）においてにおいて補完画像３は、オブジェクトＰが、原画像１の位置から右側へ１６／２０だけ移動した位置に位置している。すなわち、図１０（ｅ）における補完画像３の補完位相は、０．８である。図１０（ｆ）において補完画像３は、オブジェクトＰが、原画像１の位置から右側へ１５／２０、つまりちょうど３／４移動した位置に位置している。すなわち、図１０（ｆ）における補完画像３の補完位相は、０．７５である。図１０において補完画像３は、（ｂ）から（ｆ）へ行くほど補完位相が原画像２の位相から離れている。つまり、図１０（ｂ）の補完画像３の補完位相が原画像２の位相に最も近く、図１０（ｆ）の補完画像３の補完位相が原画像２の位相から最も遠い。図１０（ｆ）の補完画像３の補完位相は、正規位相である。
【００７５】
図１０に説明した補完位相を用いて、本実施形態での補完画像の補完位相について説明する。図１１（ａ）は、個別表示領域１５５が有する分割小領域である、分割小領域１５５−１〜１５５−２７に表示される第１１補完画像の補完位相を示す図である。すなわち、図９においてＳ１４で示す第１１補完画像信号の書込みによって表示される補完画像によって表示される補完画像の補完位相を示している。第１１補完画像信号の書込みによって表示される補完画像は、図１０の補完画像１に相当する。分割小領域１５５−１は、個別表示領域１５５の最上端に位置する分割小領域であり、個別表示領域１５４に隣接する分割小領域である。分割小領域１５５−２７は、個別表示領域１５５の最下端に位置する分割小領域である。なお、図９の第１原画像信号で表示される第１原画像の位相は０．０、第２原画像信号で表示される第２原画像の位相は１．０である。
【００７６】
図１１（ａ）の分割小領域１５５−１における補完画像の補完位相は、０．０５であり、他の分割小領域に比べて第１原画像の位相に最も近くなっている。分割小領域１５５−２における補完画像の補完位相は、分割小領域１５５−１よりも第１原画像の位相から遠い、０．１である。分割小領域１５５−３における補完画像の補完位相は、分割小領域１５５−２よりも第１原画像の位相から遠い、０．１５である。分割小領域１５５−４における補完画像の補完位相は、分割小領域１５５−３よりも第１原画像の位相から遠い、０．２である。そして、分割小領域１５５−５〜分割小領域１５５−２７における補完画像の補完位相は全て、正規位相である０．２５である。
【００７７】
図１１（ｂ）は、個別表示領域１５５が有する分割小領域である、分割小領域１５５−１〜１５５−２７に表示される第１３補完画像の補完位相を示す図である。すなわち、図９においてＳ２４で示す第１３補完画像信号の書込みによって表示される補完画像によって表示される補完画像の補完位相を示している。第１３補完画像信号の書込みによって表示される補完画像は、図１０の補完画像３に相当する。分割小領域１５５−１は、個別表示領域１５５の最上端に位置する分割小領域であり、個別表示領域１５４に隣接する分割小領域である。分割小領域１５５−２７は、個別表示領域１５５の最下端に位置する分割小領域である。なお、図９の１２補完画像信号の書込みによって表示される補完画像の位相は、全ての分割小領域で一定であり、０．５である。
【００７８】
図１１（ｂ）の分割小領域１５５−１における補完画像の補完位相は、０．９５であり、他の分割小領域に比べて第２原画像の位相に最も近くなっている。分割小領域１５５−２における補完画像の補完位相は、分割小領域１５５−１よりも第２原画像の位相から遠い、０．９である。分割小領域１５５−３における補完画像の補完位相は、分割小領域１５５−２よりも第２原画像の位相から遠い、０．８５である。分割小領域１５５−４における補完画像の補完位相は、分割小領域１５５−３よりも第２原画像の位相から遠い、０．８である。そして、分割小領域１５５−５〜分割小領域１５５−２７における補完画像の補完位相は全て、正規位相である０．７５である。
【００７９】
このように、第２区分領域である個別表示領域１５５における分割小領域毎の補完位相は、第１区分領域の一部である個別表示領域１５４との境界近傍において、個別表示領域１５４に近いほど原画像の位相に近くなる。言い換えると、第２区分領域である個別表示領域１５５における分割小領域毎の補完位相は、第１区分領域の一部である個別表示領域１５４と境界近傍において、個別表示領域１５４から離れるほど原画像の位相から遠くなる。このように第２区分領域の分割小領域毎の補完位相を調整することで、第１区分領域と第２区分領域との境界を目立たなくすることができる。
【００８０】
なお、個別表示領域１５４との境界近傍において、個別表示領域１５５の分割小領域毎の補完位相の変化量を０．０５ずつとし、４つの分割小領域を経て正規位相となるようにしているが、これに限られるものではない。例えば、分割小領域毎の補完位相の変化量をさらに大きな変化量とし、より少ない分割小領域を経て正規位相となるようにしてもよい。また、分割小領域毎の補完位相の変化量をさらに小さな変化量とし、より多くの分割小領域を経て正規位相となるようにしてもよい。
【００８１】
このようにして、入力画像信号の１フレーム期間内で、表示領域全体の画像の表示レートを２倍にした上で、特に動き量の大きい個別表示領域１５５のみの書込み走査の回数をさら倍増させることができる。つまり、個別表示領域１５５のみの表示レートを４倍に上げることができる。
【００８２】
つまり、本実施の形態の画像表示装置１００では、表示パネル１５０の第１区分領域において、入力画像信号のフレームレートよりも高い表示レートで画像を表示し、第２区分領域において、部分的にそれよりも高いフレームレートで画像を表示させるような場合にも適応することができる。
【００８３】
なお、上述した説明においては、個別表示領域１５１〜１５４が、入力画像信号の入力フレームレート以上のレートで画像を表示する第１区分領域であり、個別表示領域１５５が、第１区分領域に比べて高いレートで画像を表示する第２区分領域であったが、もちろん第１区分領域および第２区分領域を別の個別表示領域の組合せとすることができる。
【００８４】
なお、上述した実施の形態において、分割小領域は、８本の走査線に対応している領域であったが、これに限られない。例えば、８本以上の走査線に対応した領域であってもよいし、走査線毎に対応した領域であってもよい。
【００８５】
また、上述した実施の形態において、表示パネルが有する表示領域は、５つの個別表示領域を含んでいるが、これに限られない。例えば５つ未満であってもよいし、５つよりも多く設けてもよい。
【００８６】
また、上述した実施の形態において、第２区分領域が１つの個別表示領域に対応していたが、複数の個別表示領域に対応していてもよい。このような構成によれば、表示領域内の複数の箇所の画像を高精細化させることができる。
【００８７】
以上、本発明の各実施の形態について説明した。
【００８８】
なお、以上の説明は本発明の好適な実施の形態の例証であり、本発明の範囲はこれに限定されない。つまり、上記装置の構成及び動作等についての説明は例であり、本発明の範囲においてこれらの例に対する様々な変更及び追加が可能であることは明らかである。
【００８９】
例えば、上記各実施の形態では、液晶パネルを用いる液晶表示装置を画像表示装置の例として説明したが、有機ＥＬパネルを用いる有機ＥＬ表示装置など、様々なアクティブマトリクス型表示装置にも、本願発明は適用可能である。
【産業上の利用可能性】
【００９０】
本発明は、動画像を表示する画像表示装置において、動画像の高精細化に好適である。
【符号の説明】
【００９１】
１００  画像表示装置
１１０  画像信号処理部
１１１  動きベクトル検出回路
１１２  補完位相決定回路
１１３  補完画像生成回路
１２０  パネル制御回路
１３０  ゲートドライバ
１４０  ソースドライバ
１５０  表示パネル
１５１〜１５５  個別表示領域
１５６  走査線
１５７  ソース線
【図１】
2012022226.tif 000003
【図２】
2012022226.tif 000004
【図３】
2012022226.tif 000005
【図４】
2012022226.tif 000006
【図５】
2012022226.tif 000007
【図６】
2012022226.tif 000008
【図７】
2012022226.tif 000009
【図８】
2012022226.tif 000010
【図９】
2012022226.tif 000011
【図１０】
2012022226.tif 000012
【図１１】
2012022226.tif 000013
【図１２】
2012022226.tif 000014